(57)【要約】【課題】  構造物の構築作業を容易にし、作業に要する労力の軽減と作業時間の短縮を図ることが可能な構造物構築方法を提供すること。【解決手段】  柱材を複数個の柱材構成要素に分割し、枠材に上記柱材構成要素を予め取付・固定しておき、枠材に柱材構成要素が取付・固定されたものを該当箇所に搬入すると共に必要に応じて柱材に取り付けられることなく残された柱材構成要素を搬入して組み立てることにより、柱材をすると同時に所望の構造物を構築するようにしたもの。【選択図】  図１
2006070462.tif 000002
【特許請求の範囲】
【請求項１】
柱材を複数個の柱材構成要素に分割し、枠材に上記柱材構成要素を予め取付・固定しておき、枠材に柱材構成要素が取付・固定されたものを該当箇所に搬入すると共に必要に応じて柱材に取り付けられることなく残された柱材構成要素を搬入して組み立てることにより、柱材をすると同時に所望の構造物を構築するようにしたことを特徴とする構造物構築方法。
【請求項２】
請求項１記載の構造物構築方法において、
上記分割された柱材構成要素は夫々係合部を備えていて、組立時には夫々の係合部同士を係合させるようにしたことを特徴とする構造物構築方法。
【請求項３】
請求項１又は請求項２記載の構造物構築方法において、
構造物は壁構造物であることを特徴とする構造物構築方法。
【発明の詳細な説明】
【技術分野】
【０００１】
本発明は、例えば、パーテーション等の壁構造物をはじめとする各種構造物を構築する構造物構築方法に係り、特に、簡単な作業で容易に構造物を構築することができるように工夫したものに関する。
【背景技術】
【０００２】
例えば、建屋内においてパーテーションを構築しようとする場合には、通常、次のような工程を経ることになる。まず、必要本数の柱材を用意して、その柱材を適所に立設する。次に、必要個数の枠材と仕切板を搬入して、既に立設された柱材を基準にして、枠材と仕切板を取付・固定していき、それによって、所望のパーテーションを構築するものである。
【発明の開示】
【発明が解決しようとする課題】
【０００３】
上記従来の構成によると次のような問題があった。
まず、パーテーションの構築作業が面倒であり、作業に多くの労力と長い時間を要してしまうという問題があった。これは、複数本の柱材を立設し、その後に、枠材と仕切板を取付・固定していくという作業が必要になるからであり、特に、最初に行なわれる柱材の立設作業が面倒であった。
【０００４】
尚、直接的な先行技術ではないが、関連するものとして、例えば、特許文献１、特許文献２がある。
【０００５】
【特許文献１】特開２００４−７６４３４号公報
【特許文献２】特開２００４−１５０１９６号公報
【０００６】
本発明はこのような点に基づいてなされたものでその目的とするところは、構造物の構築作業を容易にし、作業に要する労力の軽減と作業時間の短縮を図ることが可能な構造物構築方法を提供することにある。
【課題を解決するための手段】
【０００７】
上記目的を達成するべく本願発明の請求項１による構造物構築方法は、柱材を複数個の柱材構成要素に分割し、枠材に上記柱材構成要素を予め取付・固定しておき、枠材に柱材構成要素が取付・固定されたものを該当箇所に搬入すると共に必要に応じて枠材に取付・固定されることなく残された柱材構成要素を搬入して組み立てることにより、柱材を完成すると同時に所望の構造物を構築するようにしたことを特徴とするものである。
又、請求項２による構造物構築方法は、請求項１記載の構造物構築方法において、上記分割された柱材構成要素は夫々係合部を備えていて、組立時には夫々の係合部同士を係合させるようにしたことを特徴とするものである。
又、請求項３による構造物構築方法は、請求項１又は請求項２記載の構造物構築方法において、構造物は壁構造物であることを特徴とするものである。
【発明の効果】
【０００８】
以上詳述のしたように本発明による枠構造によると、柱材を複数個の柱材構成要素に分割し、枠材に上記柱材構成要素を予め取付・固定しておき、枠材に柱材構成要素が取付・固定されたものを該当箇所に搬入すると共に必要に応じて枠材に取付・固定されることなく残された柱材構成要素を搬入して組み立てることにより、柱材を完成すると同時に所望の構造物を構築するようにしたので、まず、構造物の構築作業が容易化され、作業に要する労力の軽減と作業時間の短縮を図ることができる。これは、従来のように、現場にて複数本の柱材を立設するのではなく、枠材と柱材構成要素を予め組み立てておき、それらを現場に搬入して組み立てることにより、柱材を完成させると同時に所望の構造物を構築するようにしたからである。又、構造上必要な柱材については最終的に構築することができるので、機械的強度についても何等問題はない。
又、柱材構成要素に係合部を設け、相互に係合構造を構成するようにした場合には、組立作業もさらに容易になる。
【発明を実施するための最良の形態】
【０００９】
以下、図１乃至図９を参照して本発明の第１の実施の形態を説明する。本実施の形態は、本願発明をパーテーションとして機能する壁構造物の構築に適用した例を示すものである。図１は壁構造物１の全体構成を示す斜視図であり、以下、構築の手順にしたがって順次その構成を説明していく。
【００１０】
まず、図１中右側であって上下には、枠材３、３が夫々配置されており、これら枠材３、３は、図５に示すような断面形状をなしている。すなわち、その横断面形状は長方形をなしていると共に略中空形状をなしている。又、その四辺には嵌合凹部５、５、５、５が夫々形成されている。又、長手方向に設けられた一対の嵌合凹部５、５の内側には別の嵌合凹部７、７が形成されている。上記嵌合凹部７、７には、後述する固定ねじ部材５３がセルフタップによって螺合されることになる。
【００１１】
上記枠材３、３の長手方向（図１中左右方向）の両端には、図２にも示すように、柱材構成要素１１、８１が夫々取り付けられている。上記柱材構成要素１１は、図６に示すような断面形状をなしている。すなわち、柱材構成要素１１の一辺（図６中下側）には嵌合凹部１３が形成されている。又、柱材構成要素１１の上記嵌合凹部１３の図６中上側には係合部１５、１５が設けられている。又、柱材構成要素１１の図６中左右方向両端には別の係合部１７、１７が設けられている。又、上記係合部１５、１５、と係合部１７、１７との間には、さらに別の係合部１６、１６が形成されている。又、柱材構成要素１１には組立時に貫通孔１４が穿孔される。このような断面形状をなす柱材構成要素１１が枠材３、３の図１〜図３中左端に予め取付・固定されているものである。
【００１２】
その取付手段は、図２及び図３に示すように、長手方向に所定のピッチでねじ込まれた固定ねじ部材１９による螺合・固定である。すなわち、上記固定ねじ部材１９を、柱材構成要素１１の貫通孔１４に通して、既に説明した枠材３側の嵌合凹部７内にセルフタップによって螺合させていくものである。
【００１３】
一方、上記柱材構成要素８１は、図７に示すように、略「Ｌ字」状をなしていて、直交する各辺には、嵌合凹部８３、８３が形成されている。又、角部の内側には別の嵌合凹部８４が設けられている。又、係合部８５、８５が形成されていると共に、別の係合部８６、８７、８７が形成されている。又、係合部８７、８７の間には組立時に貫通孔８８、１００が穿孔される。このような断面形状をなす柱材構成要素８１が枠材３、３の図１〜図３中右端に予め取付・固定されているものである。
【００１４】
その取付手段は、図２及び図３に示すように、長手方向に所定のピッチでねじ込まれた固定ねじ部材１９による螺合・固定である。すなわち、上記固定ねじ部材１９を、柱材構成要素８１の貫通孔１００に通して、既に説明した枠材３側の嵌合凹部７内にセルフタップによって螺合させていくものである。
【００１５】
又、図１及び図２に示すように、上記枠材３、３と柱材構成要素１１、８１とによって囲まれた内側領域には仕切板２１が取り付けられている。そして、これら枠材３、３、柱材構成要素１１、８１、仕切板２１とからなる構成部分は、パーテーション１を構築する現場ではなく、例えば、工場等において予め組み立てられるものであり、その状態で現場に搬入されるものである。
【００１６】
一方、図１乃至図３中左側であって上下には別の枠材３、３がある。これら枠材３、３は既に説明した枠材３と同じものである。これら枠材３、３の図１乃至図３中右端には、既に説明した柱材構成要素８１と同じ構成の柱材構成要素８１が取付・固定されている。又、枠材３、３の図１乃至図３中左端には、既に説明した柱材構成要素１１と同じ柱材構成要素１１が取り付けられている。その取付構造についても同様である。
【００１７】
そして、図１及び図２に示すように、上記枠材３、３、柱構成要素１１、８１によって囲まれた内側領域には、既に説明した仕切板２１と同じ仕切板２１が取付・固定されているものである。そして、これら枠材３、３、柱材構成要素１１、８１、仕切板２１とからなる構成部分についても、パーテーションを構築する現場ではなく、例えば、工場等において予め組み立てられるものであり、その状態で現場に搬入されるものである。
つまり、枠材３、３、柱材構成要素１１、８１、仕切板２１とからなる構成部分と、枠材３、３、柱材構成要素１１、８１、仕切板２１とからなる構成部分を予め二組組み立てておくものである。
【００１８】
次に、一方の枠材３、３、柱材構成要素１１、８１、仕切板２１とからなる構成部分と、他方の枠材３、３、柱材構成要素１１、８１、仕切板２１とからなる構成部分と、さらに別の部材を現場に搬入してパーテーションの構築を行なうものである。
【００１９】
まず一方の枠材３、３、柱材構成要素１１、８１、仕切板２１とからなる構成部分と、他方の枠材３、３、柱材構成要素１１、８１、仕切板２１とからなる構成部分とを突き合せる。その際、図２及び図３に示すように、別の種類の柱材構成要素４３、４５を使用する。
尚、図２は組立前の状態を示す分解平面図であり、図３は組立後の状態を示す平面図である。
【００２０】
又、上記柱材構成要素４３は、図８に示すような形状をなしている。上記柱材構成要素４３は、図８（ｂ）に示すような断面形状をなしている。上記柱材構成要素４３には、組立時に固定ねじ部材５３が通る貫通孔５５が穿孔される。又、上記柱材構成要素４３の両端部には係合部５７、５７が設けられている。上記柱材構成要素４３は、図８（ａ）に示すように、他の柱材構成要素に比べて短尺になっている。
【００２１】
又、上記柱材構成要素４５は、図９に示すような断面形状をなしている。上記柱材構成要素４５は、左右両端に係合部５９、５９を備えていると共に、一対の突出片６１、６１を備えていて、これら突出片６１、６１の先端には係合部６３、６３が設けられている。この柱材構成要素４５の場合には、突出片６１、６１が弾性保持片として機能するものである。具体的には、柱材構成要素１１、８１の間に、上記突出片６１、６１を弾性変形させながら挿入され、係合部６３、６３が柱材構成要素１１の係合部１６と柱材構成要素８１の係合部８６に係合することにより保持される。その状態では柱材構成要素４５が不用意に外れるようなことはない。
【００２２】
そして、図２に示すように、対向・配置される柱材構成要素１１、８１の間に柱材構成要素４３を介挿して、複数本の固定ねじ部材５３をねじ込んで固定する。すなわち、固定ねじ部材５３を貫通孔５５を通して貫通孔８８にセルフタップによって螺合させるものである。次いで、上記柱材構成要素４３を覆うように柱材構成要素４５を介挿する。それによって、一方の枠材３、３、柱材構成要素１１、８１、仕切板２１とからなる構成部分と、他方の枠材３、３、柱材構成要素１１、８１、仕切板２１とからなる構成部分とを連結・固定することができる。それと同時に、柱材構成要素１１、８１、４３、４５によって、柱材７１を構成することができる。その様子を図１及び図３に示すものである。
【００２３】
次に、図２中右側に配置された枠材３、３の図中右側であるが、そこには、既に説明した柱材構成要素１１と同じ構成をなす柱材構成要素１１が取り付けられると共に、同じく既に説明した柱材構成要素４３が取り付けられて固定ねじ部材５３が螺合されると共に柱材構成要素４５が取り付けられ、同様の柱材７１が構成されるものである。
【００２４】
同様に、図２中左側に配置された枠材３、３の図中左側であるが、そこには、既に説明した柱材構成要素８１と同じ構成をなす柱材構成要素８１が取り付けられると共に、同じく既に説明した柱材構成要素４３が取り付けられて固定ねじ部材５３が螺合されると共に柱材構成要素４５が取り付けられ、同様の柱材７１が構成されるものである。
【００２５】
以上本実施の形態によると次のような効果を奏することができる。
まず、パーテーション１の構築作業が容易化され、作業に要する労力の軽減と作業時間の短縮を図ることができる。これは、次のような理由による。すなわち、従来の場合には、現場において、まず、複数本の柱材を立設し、次いで、複数個の枠材を上記柱材に取付・固定しながら仕切板を取り付けていく作業であった。これに対して、この実施の形態の場合には、まず、柱材の立設作業がなく、又、二組の枠材３、３、柱材構成要素１１、８１、仕切板２１からなる構成部を予め工場等で組み立てておき、それらを現場に搬入して、残りの柱材構成要素４３、４５、柱材構成要素１１、柱材構成要素８１と組み立てることにより、柱材７１を構成しながら同時に所望のパーテーション１を構築するようにしているので、作業が容易化されることになるものである。
又、構造上必要な柱材７１については最終的に構築することができるので、機械的強度についても何等問題はない。
又、柱材構成要素１１、４３、４５、８１については、適所に係合部を備えていて、相互に係合構造を構成するようになっているので、組立作業も容易であると共に強固な取付状態を得ることができる。
具体的には、例えば、図４に示すように、柱材構成要素１１の係合部１７、１７が柱材構成要素８１の係合部８５、柱材構成要素４５の係合部５９に係合する。又、柱材構成要素４５の係合部６３、６３が柱材構成要素１１の係合部１６と柱材構成要素８１の係合部８６に係合する。又、柱材構成要素１１の係合部１５、１５が柱材構成要素８１の係合部８７と柱材構成要素４３の係合部５７に係合するものである。又、上記柱材構成要素４３の係合部５７が柱材構成要素８１の係合部８７に係合するものである。又、上記柱材構成要素４５の係合部５９が柱材構成要素８１の係合部８５に係合するものである。これらの係合構造によって強固な連結構造を提供することが可能になる。
【００２６】
次に、図１０乃至図１３を参照して本発明の第２の実施の形態を説明する。前記第１の実施の形態の場合には、パーテーションを例に挙げて説明したが、この第２の実施の形態の場合には、それらパーテーションの構成を組み立てることにより室を構成する場合を例に挙げて示すものである。以下、詳細に説明する。
【００２７】
図１０、図１１は、複数個のパーテーションによって構成された２個の室を上から見た図である。まず、上端には７個の枠材３が２個の四角形を構成するような配置で設置されており、それら各枠材３の下方には同様の枠材が配置されている。そして、夫々の枠材３の端には、前記第１の実施の形態で説明した柱材構成要素１１、８１、４３、４５が適宜取り付けられているが、新たに、柱材構成要素４１が適所、具体的には、図１０、図１１中中央部に取り付けられている。
【００２８】
上記柱材構成要素４１は、図１２に示すような断面形状をなしている。上記柱材構成要素４１は、一辺に嵌合凹部４７を備えている。又、上記嵌合凹部４７の両外側には係合部４９、４９が設けられている。又、嵌合凹部４７の図１２中上方であって左右両端には別の係合部５１、５１が設けられている。又、上記係合部５１、５１の間の位置には、組立時に貫通孔５２が穿孔される。この貫通孔５２には後述する固定ねじ部材５３がセルフタップによって螺合されることになる。
【００２９】
このような構成でも前記第１の実施の形態の場合と同様の効果を奏することができる。
【００３０】
次に、図１４を参照して本発明の第３の実施の形態を説明する。これは枠材３の形状を別の形状にしたものであり、図１４に示すように、嵌合凹部５の数が１個少ない構成になっている。
その他の構成は前記各実施の形態の場合と同様であり、同一部分には同一符号を付して示しその説明は省略する。
【００３１】
次に、図１５を参照して本発明の第４の実施の形態を説明する。この場合にも、別の形状の枠材３を示すものであり、図１５に示すように、前記第３の実施の形態で示した枠材３の一端部の形状をテーパ状としたものである。
その他の構成は前記各実施の形態の場合と同様であり、同一部分には同一符号を付して示しその説明は省略する。
【００３２】
尚、本発明は前記第１〜第４の実施の形態に限定されるものではない。
例えば、柱材７１をどのように分割してどのような形状の柱材構成要素にするかについては任意に設定すればよい。
又、パーテーションの構成としても図示したものはあくまで一例であり、様々な構成のものが想定される。
又、パーテーション、室の壁以外の様々な構造物への適用が想定される。
【産業上の利用可能性】
【００３３】
本発明は、例えば、パーテーション等の壁構造物をはじめとする各種構造物を構築する構造物構築方法に係り、特に、簡単な作業で容易に構造物を構築することができるように工夫したものに関し、例えば、様々な場所において空間を仕切る各種パーテーションの構築に好適である。
【図面の簡単な説明】
【００３４】
【図１】本発明の第１の実施の形態を示す図で、構造物の一例であるパーテーションの構造を示す斜視図である。
【図２】本発明の第１の実施の形態を示す図で、構造物の一例であるパーテーションの構造を示す分解平面図である。
【図３】本発明の第１の実施の形態を示す図で、構造物の一例であるパーテーションの構造を示す平面図である。
【図４】本発明の第１の実施の形態を示す図で、図１のＩＶ部を拡大して示す斜視図である。
【図５】本発明の第１の実施の形態を示す図で、枠材の端面形状を示す図である。
【図６】本発明の第１の実施の形態を示す図で、柱材構成要素の端面形状を示す図である。
【図７】本発明の第１の実施の形態を示す図で、柱材構成要素の端面形状を示す図である。
【図８】本発明の第１の実施の形態を示す図で、図８（ａ）は柱材構成要素の形状を示す平面図、図８（ｂ）は柱材構成要素の端面形状を示す側面図である。
【図９】本発明の第１の実施の形態を示す図で、柱材構成要素の端面形状を示す図である。
【図１０】本発明の第２の実施の形態を示す図で、複数個のパーテーションによって室を構成する構造を示す分解平面図である。
【図１１】本発明の第２の実施の形態を示す図で、複数個のパーテーションによって室を構成する構造を示す平面図である。
【図１２】本発明の第２の実施の形態を示す図で、柱材構成要素の端面形状を示す図である。
【図１３】本発明の第２の実施の形態を示す図で、複数個のパーテーションによって室を構成する構造の一部を拡大して示す斜視図である。
【図１４】本発明の第３の実施の形態を示す図で、枠材の端面形状を示す図である。
【図１５】本発明の第４の実施の形態を示す図で、枠材の端面形状を示す図である。
【符号の説明】
【００３５】
１  パーテーション  
３  枠材
１１  柱材構成要素
１９  固定ねじ部材
２１  仕切板
４１  柱材構成要素
４３  柱材構成要素
４５  柱材構成要素
５３  固定ねじ部材
８１  柱材構成要素
【図１】
2006070462.tif 000003
【図２】
2006070462.tif 000004
【図３】
2006070462.tif 000005
【図４】
2006070462.tif 000006
【図５】
2006070462.tif 000007
【図６】
2006070462.tif 000008
【図７】
2006070462.tif 000009
【図８】
2006070462.tif 000010
【図９】
2006070462.tif 000011
【図１０】
2006070462.tif 000012
【図１１】
2006070462.tif 000013
【図１２】
2006070462.tif 000014
【図１３】
2006070462.tif 000015
【図１４】
2006070462.tif 000016
【図１５】
2006070462.tif 000017